(57)【要約】【課題】操作性がよく、操作ボタンの機能が分かりやすい携帯機器を提供する。【解決手段】デジタルカメラ１０の背面には操作ボタン４１〜４９が設けられ、各操作ボタン４１〜４９の表面には表示パネル６１〜６９が配置されている。表示パネル６１〜６９の明るさは、明るさ調節部１３６により切り替えられる。オートモードにおいて明るさ調節部１３６は、ＡＥ検出回路１１６により得られた測光値に基づき、デジタルカメラ１０の周辺が明るいと推定される場合、表示パネル６１〜６９を見やすいように明るくし、周辺が暗いと推定される場合、表示パネル６１〜６９の明るさを抑えて消費電力を抑える。マニュアルモードにおいて明るさ調節部１３６は、ユーザーの操作に応じて表示パネル６１〜６９の明るさを切り替える。【選択図】図８
2007159015.tif 000002
【特許請求の範囲】
【請求項１】
機器の動作モードに応じて割り当てられる機能が変化する操作ボタンと、
前記操作ボタンの表面に配置される表示手段と、
機器の周辺の明るさを検出する明るさ検出センサと、
前記操作ボタンに割り当てられた機能に応じた画像を前記表示手段に表示させるとともに、前記画像の明るさを機器の周辺の明るさに応じて切り替える表示制御手段とを備えたことを特徴とする携帯機器。
【請求項２】
被写体光量に応じて各画素に蓄積された電荷を撮像信号として出力する撮像手段を備え、前記撮像手段を前記明るさ検出センサとして兼用したことを特徴とする請求項１記載の携帯機器。
【請求項３】
前記画像は、前記機能を説明する文字もしくはマーク部分と、背景部分とからなり、
前記表示制御手段は、文字もしくはマーク部分と、背景部分とのうち少なくとも一方の明るさを切り替えることを特徴とする請求項１または２記載の携帯機器。
【請求項４】
前記画像の明るさを手動で切り替えるための操作部材を備えたことを特徴とする請求項１〜３いずれか記載の携帯機器。
【請求項５】
請求項１〜４いずれか記載の携帯機器に、被写体像を光電変換した撮像信号を出力するイメージセンサを設けたことを特徴とするデジタルカメラ。
【発明の詳細な説明】
【技術分野】
【０００１】
本発明は、携帯機器及びデジタルカメラに関するものである。
【背景技術】
【０００２】
携帯電話やデジタルカメラなどの携帯機器では、操作ボタン数の増加を抑え、小型化を実現するために、１つの操作ボタンに複数の機能が割り当てられる。そして、例えば、デジタルカメラでは、撮影モードや再生モードなどの動作モードが切り替えられると、この切り替えに伴って操作ボタンの機能も切り替わるようになっている。また、操作ボタンの表面には、この操作ボタンが有する機能を表す画像がプリントされ、誤操作を防止するようになっている。
【０００３】
しかし、１つのボタンが有する機能が多くなるほど、操作ボタンにプリントされた画像が複雑で見づらくなってしまうといった問題があった。このため、下記特許文献１には、タッチパネルを用い、画像を切り替え表示する装置が記載されている。この装置によれば、現在割り当てられている機能のみを表す画像が表示されるため簡潔で見やすい。
【特許文献１】特開平１０−２７０５３号公報
【発明の開示】
【発明が解決しようとする課題】
【０００４】
しかしながら、タッチパネルは操作感が得がたく、操作性が悪いといった問題がある。また、携帯機器周辺の明るさによっては表示された画像が見づらく、操作ボタンの機能が分かりづらいといった問題がある。
【０００５】
本発明は、操作性がよく、また、操作ボタンの機能が分かりやすい携帯機器及びデジタルカメラを提供することを目的としている。
【課題を解決するための手段】
【０００６】
上記目的を達成するために、本発明の携帯機器は、機器の動作モードに応じて割り当てられる機能が変化する操作ボタンと、前記操作ボタンの表面に配置される表示手段と、機器の周辺の明るさを検出する明るさ検出センサと、前記操作ボタンに割り当てられた機能に応じた画像を前記表示手段に表示させるとともに、前記画像の明るさを機器の周辺の明るさに応じて切り替える表示制御手段とを備えたことを特徴としている。
【０００７】
被写体光量に応じて各画素に蓄積された電荷を撮像信号として出力する撮像手段を備え、前記撮像手段を前記明るさ検出センサとして兼用してもよい。
【０００８】
また、前記画像は、前記機能を説明する文字もしくはマーク部分と、背景部分とからなり、前記表示制御手段は、文字もしくはマーク部分と、背景部分とのうち少なくとも一方の明るさを切り替えることが好ましい。
【０００９】
さらに、前記画像の明るさを手動で切り替えるための操作部材を備えていることが好ましい。
【００１０】
また、上記目的を達成するために、本発明のデジタルカメラは、上述した携帯機器に、被写体像を光電変換した撮像信号を出力するイメージセンサを設けたことを特徴としている。
【発明の効果】
【００１１】
本発明によれば、操作ボタンの表面に表示手段を設け、操作ボタンの機能に応じた画像を表示するようにしたので、タッチパネルと比較して操作性がよい。また、携帯機器周辺の明るさによって表示手段に表示する画像の明るさを切り替えるようにしたので、画像が見やすく操作ボタンの機能が分かりやすい。
【発明を実施するための最良の形態】
【００１２】
図１および図２において、本発明を適用したデジタルカメラ１０は、カメラ本体１２の前面に、ストロボ発光部１４、並びに撮像レンズ１６を保持するレンズ鏡胴１８が組み込まれている。カメラ本体１２の上面には、電源のオンオフを行うための電源ボタン２０、撮影モード、再生モード、メニューモードなどの各モード間の切り替えを行うためのモード選択ボタン２２、及び、撮影を行うためのレリーズボタン２４が設けられている。また、カメラ本体１２の側面には、メモリカード２６（図５参照）が着脱自在に装填されるメモリカードスロットを覆う蓋２８が設けられている。
【００１３】
レリーズボタン２４は、２段階押しのスイッチとなっており、軽く押圧（半押し）すると、自動露出調整（ＡＥ）、自動焦点調整（ＡＦ）などの各種撮影準備処理が施される。この状態でレリーズボタン２４をもう１度強く押圧（全押し）すると、撮影準備処理が施された１画面分の撮像信号が画像データに変換された後、後述する画像処理および圧縮処理が施され、メモリカード２６に記憶される。
【００１４】
カメラ本体１２の背面には、各種表示を行うモニタとして機能する液晶表示装置（ＬＣＤ）３０、および各種操作を行う入力手段として機能する操作部３２が設けられている。ＬＣＤ３０には、撮影モードではいわゆるスルー画像が表示され、再生モードではメモリカード２６に記録済みの画像が再生表示され、メニューモードでは各種設定を行うためのメニュー画面が表示される。
【００１５】
操作部３２には、複数の操作ボタン４１〜４９が設けられている。図３に示すように、操作ボタン４１は、操作部材５０と、この操作部材の背後に配置される押圧検知式のスイッチ５２とを備えている。操作部材５０はバネ５４によってスイッチ５２から遠ざかる方向へ付勢されており、この付勢に抗してスイッチ５２へ向けて押圧操作されると、スイッチ５２が作動して操作信号がカメラ本体１２に入力される。
【００１６】
また、操作ボタン４１には、操作部材５０の表面に表示パネル６１が設けられている。図４に示すように、表示パネル６１は、複数の画素６１ａがマトリクス状に配列されたドットマトリクス式の有機ＥＬディスプレイから構成され、ドライバ７１により駆動される。各画素６１ａは、印加電圧値に応じた明るさに発光する発光素子を備え、ドライバ７１は、各画素６１ａ毎の駆動電圧値を調節することで画素毎の明るさを変化させて画像を形成する。表示パネルの駆動方式としては、駆動電圧の印加方法が異なるパッシブマトリクス方式とアクティブマトリクス方式とがあるが、いずれの方式により駆動してもよい。
【００１７】
同様にして、操作ボタン４２〜４９も操作部材とスイッチとを備えている。そして、操作ボタン４２〜４９は、押圧操作されるとこれを示す操作信号をカメラ本体１２に入力する。また、各操作ボタン４２〜４９の操作部材には、その表面にそれぞれ表示パネル６２〜６９が配置されている（図２参照）。そして、各表示パネル６２〜６９は、それぞれドライバ７２〜７９（図７参照）により駆動されて各種画像を表示する。
【００１８】
各操作ボタン４１〜４９に割り当てられる機能は、デジタルカメラ１０の動作モードに応じて変化するようになっている（図６参照）。例えば、撮影モードにおいては、操作ボタン４１、４２を操作することでズーム倍率の変倍が行われ、操作ボタン４４を操作することで後述する画面調節モードに移行し、操作ボタン４５を操作することで近接撮影モードに移行し、操作ボタン４７を操作することでストロボ発光モードの切り替えが行われ、操作ボタン４８を操作することでセルフタイマ使用モードに移行する（図９参照）。
【００１９】
また、再生モードにおいては、操作ボタン４１、４２を操作することで再生画像の拡大および縮小が行われ、操作ボタン４３を操作することで記録済みの画像データのプリント条件を指定するためのプリント条件指定モードに移行し、操作ボタン４４を操作することで再生画像の消去が行われ、操作ボタン４５、４７を操作することで再生画像のコマ戻しおよびコマ送りが行われる（図１０参照）。また、再生モードにおいて、再生画像がＬＣＤ３０の画面よりも大きく拡大された際には、操作ボタン４４、４５、４７、４８により再生画像の表示範囲を移動させることができ、操作ボタン４９を操作することで画像の拡大、縮小が解除される（図１１参照）。
【００２０】
さらに、メニューモードにおいては、操作ボタン４４、４５、４７、４８を操作することで、メニュー画面内に表示されるカーソルが移動表示され、操作ボタン４６を操作することでカーソルにより選択された項目の内容が決定され、操作ボタン４９を操作することで１つ前の画面に戻ることができる（図１２参照）。
【００２１】
このように、１つの操作ボタンに複数の機能を割り当てることによって、操作ボタンの数を減らし、デジタルカメラ１０を小型化している。もちろん、操作ボタンの数や配置位置、並びに、動作モードの種類や各動作モードにおいて割り当てる機能は上記に限定されるものではなく適宜変更できる。
【００２２】
デジタルカメラ１０の電気的構成を示す図５において、撮像レンズ１６には、レンズモータ９０が接続されている。また、絞り９２には、アイリスモータ９４が接続されている。これらのモータ９０、９４はステッピングモータからなり、ＣＰＵ９６に接続されたモータドライバ９８、１００から送信される駆動パルスにより動作制御され、レリーズボタン２４の半押しに伴う撮影準備処理を行う。
【００２３】
レンズモータ９０は、ズーム操作に連動して、撮像レンズ１６のズームレンズをワイド側、あるいはテレ側に移動させる。また、ズームレンズの変倍などに応じて撮像レンズ１６のフォーカスレンズを移動させ、撮影条件が最適となるように焦点調整を行う。アイリスモータ９４は、絞り９２を動作させ、露出調整を行う。
【００２４】
撮像レンズ１６の背後には、撮像レンズ１６を透過した被写体像が撮像されるＣＣＤ１０２が配置されている。ＣＣＤ１０２には、ＣＰＵ９６によって制御されるタイミングジェネレータ（ＴＧ）１０４が接続され、このＴＧ１０４から入力されるタイミング信号（クロックパルス）により、電子シャッタのシャッタ速度が決定される。
【００２５】
ＣＣＤ１０２から出力された撮像信号は、相関二重サンプリング回路（ＣＤＳ）１０６に入力され、ＣＣＤ１０２の各画素の蓄積電荷量に正確に対応したＲ、Ｇ、Ｂの画像データとして出力される。ＣＤＳ１０６から出力された画像データは、増幅器（ＡＭＰ）１０８で増幅され、Ａ／Ｄ変換器（Ａ／Ｄ）１１０でデジタルの画像データに変換される。
【００２６】
画像入力コントローラ１１２は、バス１１４を介してＣＰＵ９６に接続され、ＣＰＵ９６の制御命令に応じて、ＣＣＤ１０２、ＣＤＳ１０６、ＡＭＰ１０８、およびＡ／Ｄ１１０を制御する。Ａ／Ｄ１１０から出力された画像データは、ＳＤＲＡＭ１１５に一時記録される。
【００２７】
ＡＥ検出回路１１６は、ＳＤＲＡＭ１１５に記憶された画像データに基づいて被写体の明るさを表す測光値（Ｅｖ）を下式に基づいて算出し、算出した測光値（Ｅｖ）をＣＰＵ９６へ出力する。
Ｅｖ＝ｌｏｇ２  （Σｗｉ×２Ｅｖｉ  ／Σｗｉ）−ΔＥｖｉｓｏ
【００２８】
上式において、Ｅｖｉは、ＳＤＲＡＭ１１５に記憶された画像データに基づく画像を、図６に示すように６４のエリアに分割したときの各エリア毎の測光値である。ｗｉは、各エリアに設定された重み付けの値であって、図中各エリア内に記載した数値によって表される。デジタルカメラ１０では中央重点測光方式を採用し、中央に近いエリアほど重み付けの値が大きくとられている。また、ΔＥｖｉｓｏは、ＩＳＯ２００を基準とした測光補正量である。
【００２９】
このように算出された測光値（Ｅｖ）に基づいてＣＰＵ９６による露出調節が行われる。なお、測光値（Ｅｖ）算出の際のエリアの区分や重み付けの値などの設定は上記に限定されず適宜変更することができる。また、測光方式としては、上述した中央重点測光方式の他に、画像の分割の方法や重み付けの方法が異なる多分割測光方式や、画像の一部のみについてのみ測光を行うスポット測光方式などがあるが、これらのいずれを用いてもよい。
【００３０】
画像信号処理回路１１８は、ＳＤＲＡＭ１１５から画像データを読み出して、階調変換、ホワイトバランス補正、γ補正処理などの各種画像処理を施し、この画像データを再度ＳＤＲＡＭ１１５に記録する。ＹＣ変換処理回路１２０は、画像信号処理回路１１８で各種処理を施された画像データをＳＤＲＡＭ１１５から読み出し、輝度信号Ｙと色差信号Ｃｒ、Ｃｂとに変換する。
【００３１】
ＶＲＡＭ１２２は、ＬＣＤ３０にスルー画像を出力するためのメモリであり、画像信号処理回路１１８、ＹＣ変換処理回路１２０を経た画像データが格納される。ＶＲＡＭ１２２には、画像データの書き込みと読み出しを並行して行えるように、２フレーム分のメモリ１２２ａ、１２２ｂが確保されている。ＶＲＡＭ１２２に格納された画像データは、ＬＣＤドライバ１２４でアナログのコンポジット信号に変換され、ＬＣＤ３０にスルー画像として表示される。
【００３２】
圧縮伸長処理回路１２６は、ＹＣ変換処理回路１２０でＹＣ変換された画像データに対して、所定の圧縮形式（例えばＪＰＥＧ形式）で画像圧縮を施す。圧縮された画像データは、メディアコントローラ１２８を経由してメモリカード２６に記憶される。
【００３３】
ＣＰＵ９６は、デジタルカメラ１０を統括的に制御するために設けられ、ＥＥＰＲＯＭ１３０に記録された各種制御用のプログラムや設定情報などを作業用メモリであるＳＤＲＡＭ１１５に読み出して接続された各部を駆動制御する。ＣＰＵ９６による制御は、前述のレリーズボタン２４、モード選択ボタン２２、電源ボタン２０、並びに、操作部３２の各操作ボタン４１〜４９から入力される操作信号に基づいて行われる。
【００３４】
ＣＰＵ９６には、機能割り当てテーブル１３２と、表示制御部１３４とが設けられている。図７に示すように、機能割り当てテーブル１３２には、各操作ボタン４１〜４９（図中ボタンＡ〜Ｉと表記した）に割り当てる機能の内容と、デジタルカメラ１０の動作モードとの対応関係が記憶されている。ＣＰＵ９６は、各操作ボタン４１〜４９から操作信号が入力されると、現在の動作モードを調べた後、機能割り当てテーブル１３２を参照し、各操作ボタン４１〜４９に割り当てられた機能を実行する。
【００３５】
各操作ボタン４１〜４９の駆動機構を示す図８において、表示制御部１３４は、表示パネル６１〜６９を駆動するドライバ７１〜７９に接続されている。そして、表示制御部１３４は、これらドライバ７１〜７９を制御して、各表示パネル６１〜６９に画像を表示させる。表示制御部１３４は、現在の動作モード、並びに、機能割り当てテーブル１３２に基づき、操作ボタン４１〜４９のそれぞれについて、割り当てられた機能の有無および機能の種類を調べる。そして、割り当てられた機能を説明するためのマークをこの操作ボタンに対応する表示パネルに表示する。
【００３６】
図９に示すように、撮影モードにおいて表示制御部１３４は、表示パネル６１、６２にズーム倍率を変倍させる機能を表すマークを表示させ、表示パネル６４に画面調節モードへ移行させる機能を表すマークを表示させ、表示パネル６５に近接撮影モードへ移行させる機能を表すマークを表示させ、表示パネル６７にストロボ発光モードを切り替える機能を表すマークを表示させ、表示パネル６８にセルフタイマ使用モードへ移行させる機能を表すマークを表示させる。またこのとき、ＣＰＵ９６は、ＬＣＤドライバ１２４を駆動し、ＬＣＤ３０に現在のデジタルカメラ１０のモードが撮影モードであることを表すマークを表示する。
【００３７】
図１０に示すように、再生モードにおいて表示制御部１３４は、表示パネル６１、６２に再生画像を拡大、縮小させる機能を表すマークを表示させ、表示パネル６３にプリント条件指定モードに移行させる機能を表すマークを表示させ、表示パネル６４に画像を消去する機能を表すマークを表示させ、表示パネル６５、６７に画像をコマ送り、コマ戻しさせる機能を表すマークを表示させる。また再生モードにおいて、ＣＰＵ９６は、ＬＣＤ３０にデジタルカメラ１０のモードが再生モードであることを表すマークを表示する。
【００３８】
再生モードにおいて再生画像がＬＣＤ３０の画面よりも大きく拡大された場合、表示制御部１３４は、図１１に示すように、表示パネル６４、６５、６７、６８に再生画像を上下左右に移動表示させる機能を表すマークを表示させ、表示パネル６９に再生画像の拡大、縮小を解除する機能を表すマークを表示させる。
【００３９】
図１２に示すように、メニューモードにおいて表示制御部１３４は、表示パネル６４、６５、６７、６８にカーソルを上下左右に移動表示させる機能を表すマークを表示させ、表示パネル６６にカーソルにより選択した項目を決定する機能を表すマークを表示させ、表示パネル６９に１つ前の画面に戻る機能を表すマークを表示させる。またメニューモードにおいて、ＣＰＵ９６は、ＬＣＤ３０にデジタルカメラ１０のモードがメニューモードであることを表すマークを表示する。
【００４０】
また、図８において、表示制御部１３４には、表示パネル６１〜６９の明るさを切り替える明るさ調節部１３６が設けられている。明るさ調節部１３６は、明るさを自動で切り替えるオートモード、明るさをユーザーが設定するマニュアルモードの２つのモードで駆動される。ＣＰＵ９６は、撮影モードにおいて操作ボタン４４が操作され画面調節モードに移行すると、図１３に示す、設定画面１４０をＬＣＤ３０に表示する。
【００４１】
設定画面１４０において、カーソル１４２を移動してタグ１４４を選択することで、明るさ調節部１３６がオートモードで駆動される。オートモードにおいて、明るさ調節部１３６は、ＡＥ検出回路１１６によって算出された測光値（Ｅｖ）に基づき、表示パネル６１〜６９の明るさを切り替える。表示パネル６１〜６９の明るさとしては、最も暗いレベル０〜最も明るいレベル３の４段階で切り替えられる。
【００４２】
明るさ調節部１３６は、測光値（Ｅｖ）が、５Ｅｖ未満の場合は、表示パネル６１〜６９の明るさをレベル０に切り替える。また、明るさ調節部１３６は、測光値（Ｅｖ）が５Ｅｖ以上９Ｅｖ未満の場合、表示パネル６１〜６９の明るさをレベル１に切り替え、測光値（Ｅｖ）が９Ｅｖ以上１３Ｅｖ未満の場合、表示パネル６１〜６９の明るさをレベル２に切り替え、測光値（Ｅｖ）が１３Ｅｖ以上の場合、表示パネル６１〜６９の明るさをレベル３に切り替える。
【００４３】
測光値（Ｅｖ）の大きさは大きいほど被写体の明るさが明るく、すなわち、デジタルカメラ１０の周辺が明るいと推定できる。このため、上述のように、測光値（Ｅｖ）が大きくなるにつれて、表示パネル６１〜６９の明るさレベルを上げていくことで、デジタルカメラ１０の周辺が明るい場合には、表示パネル６１〜６９が明るく表示されて見やすい。また、デジタルカメラ１０の周辺が暗い場合には、表示パネル６１〜６９の明るさを抑えて消費電力を抑えることができる。
【００４４】
一方、設定画面１４０において、カーソル１４２を移動してタグ１４５、１４６、１４７、１４８を選択することで、明るさ調節部１３６がマニュアルモードで駆動される。タグ１４５が選択されると、明るさ調節部１３６は、表示パネル６１〜６９の明るさをレベル０に切り替える。また、明るさ調節部１３６は、表示パネル６１〜６９の明るさを、タグ１４６が選択されるとレベル１に、タグ１４７が選択されるとレベル２に、タグ１４８が選択されるとレベル３に、それぞれ切り替える。マニュアルモードを設けることによって、ユーザーの好みに応じて表示パネル６１〜６９の明るさを切り替えられるので便利である。
【００４５】
なお、表示パネルの明るさを切り替える方法としては、表示パネルの画面全体の明るさを切り替える方法や、図１４に示すように、表示パネルの画面１５０をマークの表示されたマーク部分１５２とマーク以外の背景部分１５４とに区分し、少なくとも一方の明るさを切り替える方法などが考えられるがこれらのいずれを用いてもよい。マーク部分と背景部分を区別して明るさ切り替える場合は、明るさレベルが高くなるほど画面のコントラストが高くなるようにマーク部分と背景部分の明るさを決定すればよい。
【００４６】
また、上記実施形態では、ＣＣＤにより得られた画像データに基づいてＡＥ検出回路が測光値を算出し、この測光値に応じてオートモードにおける表示パネルの明るさが決定されるため、ＣＣＤが駆動されていない場合に、オートモードでは表示パネルの明るさを決定できなくなるといった懸念がある。このような問題を防止するため、ＡＥ検出回路により得られた測光値のうち最新のものを、例えは、ＳＤＲＡＭなどの記憶手段に記憶し、撮影モード以外のモードにおいては記憶手段に記憶された測光値に基づいて表示パネルの明るさを決定してもよい。もちろん、撮影モード以外のモードにおいても定期的にＣＣＤを駆動し、測光値を得られるようにしてもよい。さらに、ＣＣＤやＡＥ検出回路に代えて、デジタルカメラの周囲の明るさを検出する明るさ検出センサを設け、明るさ検出センサから得られたデジタルカメラの周囲の明るさに応じてオートモードにおける表示パネルの明るさを決定してもよい。
【００４７】
なお、上記実施形態では、デジタルカメラを例に説明をしたが、本発明はこれに限定されるものではない。例えば、携帯電話やＰＤＡ（Ｐｅｒｓｏｎａｌ  Ｄｉｇｉｔａｌ  Ａｓｓｉｓｔａｎｃｅ）などデジタルカメラ以外の携帯機器に本発明を適用してもよい。
【図面の簡単な説明】
【００４８】
【図１】デジタルカメラの前面側外観図である。
【図２】デジタルカメラの背面側平面図である。
【図３】操作ボタンの構成を表す説明図である。
【図４】表示パネルの構成を表す説明図である。
【図５】デジタルカメラの構成図である。
【図６】分割されたエリア毎の重み付けの値を表す説明図である。
【図７】各動作モードと、操作ボタンに割り当てられる機能との対応関係を表す説明図である。
【図８】操作ボタンを駆動する駆動機構の構成図である。
【図９】表示パネルへの表示の一例を表す説明図である。
【図１０】表示パネルへの表示の一例を表す説明図である。
【図１１】表示パネルへの表示の一例を表す説明図である。
【図１２】表示パネルへの表示の一例を表す説明図である。
【図１３】操作ボタンの明るさを設定する設定画面を表す説明図である。
【図１４】表示パネルの明るさ制御の一例を表す説明図である。
【符号の説明】
【００４９】
１０  デジタルカメラ
３０  ＬＣＤ
３２  操作部
４１〜４９  操作ボタン
６１〜６９  表示パネル
７１〜７９  ドライバ
９６  ＣＰＵ
１１６  ＡＥ検出回路
１３２  機能割り当てテーブル
１３４  表示制御部
１３６  明るさ調節部
１４０  設定画面
【図１】
2007159015.tif 000003
【図２】
2007159015.tif 000004
【図３】
2007159015.tif 000005
【図４】
2007159015.tif 000006
【図５】
2007159015.tif 000007
【図６】
2007159015.tif 000008
【図７】
2007159015.tif 000009
【図８】
2007159015.tif 000010
【図９】
2007159015.tif 000011
【図１０】
2007159015.tif 000012
【図１１】
2007159015.tif 000013
【図１２】
2007159015.tif 000014
【図１３】
2007159015.tif 000015
【図１４】
2007159015.tif 000016